(57)【要約】      （修正有）【課題】スマートフォンディスプレイ保護フィルム貼付け補助装置を提供する。【解決手段】定位台２０、定位フレーム２５、補助接着シート２６、保護フィルム２７、スクレーパー２８を有し、定位台２０に第一凸部２１、第二凸部２２を設置し、第一凸部２１と第二凸部２２間に定位空間２３を有し、定位空間２３にディスプレイ２が上を向いた状態でスマートフォン１を収容し、第一凸部２１の高さは第二凸部２２の高さより高く、定位フレーム２５に穴開き孔２５１を設置しディスプレイ２に対応し、補助接着シート２６を定位フレーム２５の下表面に接着定位し、保護フィルム２７は補助接着シート２６下表面に接着定位され、定位フレーム２５、補助接着シート２６は第一凸部２１、第二凸部２２頂面に位置限定され、保護フィルム２７はディスプレイ２に相対して傾斜角度を生じ、保護フィルム２７はディスプレイ２上方に対応するが接触せず、スクレーパー２８は穴開き孔２５１を通過して補助接着シート２６を擦るように圧迫する。【選択図】図９
0003221144.tif 000002
【実用新案登録請求の範囲】
【請求項１】
スマートフォンディスプレイ保護フィルム貼付け補助装置であって、定位台、定位フレーム、補助接着シート、保護フィルム及びスクレーパーを有し、
前記定位台は、長方形の台体の、その内一つの短側辺に、第一凸部を設置し、もう一つの相対する短側辺には、第二凸部を設置し、前記第一凸部と前記第二凸部の間には、定位空間を有し、前記定位空間には、ディスプレイが上を向いた状態でスマートフォンを収容し、位置を制限して定位し、しかも前記第一凸部の高さは、前記第二凸部の高さより高く、前記定位フレームには、穴開き孔を設置し、前記スマートフォンのディスプレイに対応し、前記定位フレームは、前記第一凸部及び第二凸部を跨いで設置できる長方形状に形成され、第一短側フレーム及び第二短側フレームを有し、前記補助接着シートは、前記定位フレームの下表面に接着、定位され、前記補助接着シートには、第一接着区域を設置し、前記第一短側フレーム下表面に接着して設置され、しかも前記補助接着シートには、第二接着区域を設置し、前記第二短側フレーム下表面に接着して設置され、前記保護フィルムは、前記補助接着シート下表面に接着して定位され、これにより、前記定位フレーム、補助接着シート及び保護フィルムは定位され、一体に粘着して結合され、前記定位フレームの第一短側フレーム及び前記補助接着シートの第一接着区域は、前記定位台の第一凸部頂面に制限され、前記定位フレームの第二短側フレーム及び前記補助接着シートの第二接着区域は、前記定位台の第二凸部頂面に制限され、これにより、前記定位フレーム、補助接着シート及び保護フィルムは、前記定位空間上方に位置が限定され、これにより、前記定位フレーム、補助接着シート及び保護フィルムは、前記ディスプレイに相対して傾斜角度を生じ、しかも前記保護フィルムは前記ディスプレイ上方に対応するが接触せず、
前記スクレーパーは前記穴開き孔を通過して、前記補助接着シートを下方へと圧迫し、これにより前記定位フレームは、わずかに下方へと湾曲変形し、前記スクレーパーを、前記第二短側フレーム辺縁から前記第一短側フレーム辺縁へと擦るように動かし、こうして前記保護フィルムは、傾斜角度方式で、前記ディスプレイ上に貼り付けられる
ことを特徴とする
スマートフォンディスプレイ保護フィルム貼付け補助装置。
【請求項２】
前記第一凸部は、前記第二凸部に対面する側面に、第一定位側槽を有し、前記第二凸部の、前記第一凸部に対面する側面には、第二定位側槽を有し、前記第一定位側槽と第二定位側槽の間には、前記定位空間を形成し、しかも前記第一定位側槽と第二定位側槽は、前記スマートフォンの輪郭を制限して移動できなくする
ことを特徴とする
請求項１に記載のスマートフォンディスプレイ保護フィルム貼付け補助装置。
【請求項３】
前記第一凸部頂面には、傾斜角度が設定された第一傾斜面を有し、前記第二凸部頂面には、前記第一傾斜面と相同の傾斜角度の第二傾斜面を有し、しかも前記補助接着シートの第一接着区域は、前記第一傾斜面に接着され、しかも前記補助接着シートの第二接着区は、前記第二凸部の第二傾斜面に接着される
ことを特徴とする
請求項１に記載のスマートフォンディスプレイ保護フィルム貼付け補助装置。
【請求項４】
前記第一凸部頂面外周縁には、第一凸垣を設置し、前記第二凸部頂面外周縁には、第二凸垣を設置し、前記第一凸垣及び第二凸垣が囲む長方形区域は、位置限定空間を形成し、しかも前記定位フレームは、前記位置限定空間の形状に符合するように形成され、前記定位フレーム、補助接着シート及び保護フィルムは、いっしょに前記位置限定空間中に入れられ、これにより、前記定位フレームは、前記定位空間上方に位置が限定される
ことを特徴とする
請求項１に記載のスマートフォンディスプレイ保護フィルム貼付け補助装置。
【請求項５】
前記第一短側フレーム、第二短側フレーム上には、少なくとも１個の基準孔をそれぞれ設置し、前記第一接着区域、第二接着区域上には、前記基準孔に対応する定位孔をそれぞれ設置し、しかも前記定位孔は、前記基準孔に照準を合わせ、これにより前記補助接着シートは、前記定位フレームに定位される
ことを特徴とする
請求項１に記載のスマートフォンディスプレイ保護フィルム貼付け補助装置。
【考案の詳細な説明】
【技術分野】
【０００１】
本考案はスマートフォンディスプレイ保護フィルム貼付け補助装置に関し、特にスムーズに空気を押し出し、気泡を発生せず、しかも周囲のホコリが付着する機会を減らせ、及び正確かつ迅速に、使用者がディスプレイ保護フィルムを貼り付けられるようサポートするスマートフォンディスプレイ保護フィルム貼付け補助装置に関する。
【背景技術】
【０００２】
スマートフォンは通常、大面積のディスプレイを有している。
衝突や摩擦により、破裂したりキズが残ったりすることからディスプレイを保護するため、普通はその表面にガラス或いは樹脂材質により製造された保護フィルムを貼り付ける。
図１〜図４に示す通り、従来のディスプレイの保護フィルム１０底部に、離型フィルム１４を設置する。
一般のスマートフォン１は通常は、ディスプレイ２、受話口３、操作ボタン４、前レンズ５等の基本部位を有する。
ディスプレイ保護フィルム１０に相対して、対応する上開孔１１、下開孔１２及び貫通孔１３等が設置される。
【０００３】
専門家でない限り、保護フィルム１０をディスプレイ２上に正確に貼ることは、通常は困難である。
保護フィルム１０を貼る際には、極めて短時間内に行わなければならない。
その底面の離型フィルム１４を剥がした時に使用者が直接保護フィルム１０に触れてしまえば、通常は保護フィルム１０にはホコリが付着してしまう。
貼付け過程では、使用者が発生源のホコリ微粒子も付着してしまう。
これらホコリ微粒子は、貼付け過程で気泡を発生し、除去が困難である。
また、保護フィルム１０を貼付ける時には、一端から、スマートフォン１に照準を合わせ、ある一辺から貼付けを開始する（図３参照）必要があるが、片側の照準が合った時、小範囲のズレは肉眼では判断しにくい。
そのため、スマートフォン１の後半部分を貼る過程になって、照準が合っていないことがようやく発見され、保護フィルム１０上面の上開孔１１、下開孔１２及び貫通孔１３と、スマートフォン１の対応部位とに明らかな誤差があり（図４参照）、小さめの貫通孔１３と前レンズ５とが完全に対応せず、美観が悪いばかりか、その機能性にも影響を及ぼす。
そのため、実用的とは言えない。
【考案の概要】
【考案が解決しようとする課題】
【０００４】
前記先行技術には、保護フィルム上の各孔とスマートフォンの対応部位と誤差が生じやすく、美観が悪いばかりか、機能性にも影響を及ぼすという欠点がある。
【課題を解決するための手段】
【０００５】
本考案は、ディスプレイ保護フィルムの貼付け時に、スムーズに空気を排除し、ホコリの付着を減らし、迅速に貼付けできるよう、定位台と定位フレームの間に傾斜角度を設け、スクレーパーにより保護フィルムを圧合する時には、保護フィルムは傾斜角度を呈し、ディスプレイ一端からその反対端へと接着し、スムーズに空気を押し出し、しかも周囲のホコリが付着する機会を減らせ、専門家でなくとも迅速、正確に保護フィルムを貼付けできるスマートフォンディスプレイ保護フィルム貼付け補助装置に関する。
【０００６】
本考案によるスマートフォンディスプレイ保護フィルム貼付け補助装置は、定位台、定位フレーム、補助接着シート、保護フィルム及びスクレーパーを有する。
該定位台は、長方形の台体の、その内一つの短側辺に、第一凸部を設置し、もう一つの相対する短側辺には、第二凸部を設置する。
該第一凸部と該第二凸部の間には、定位空間を有し、該定位空間には、ディスプレイが上を向いた状態でスマートフォンを収容し、位置を制限して定位し、しかも該第一凸部の高さは、該第二凸部の高さより高い。
該定位フレームには、穴開き孔を設置し、該スマートフォンのディスプレイに対応する。
該定位フレームは、該第一凸部及び第二凸部を跨いで設置できる長方形状に形成され、第一短側フレーム及び第二短側フレームを有する。
該補助接着シートは、該定位フレームの下表面に接着、定位され、該補助接着シートには、第一接着区域を設置し、該第一短側フレーム下表面に接着して設置される。
しかも、該補助接着シートには、第二接着区域を設置し、該第二短側フレーム下表面に接着して設置される。
該保護フィルムは、該補助接着シート下表面に接着して定位され、これにより、該定位フレーム、補助接着シート及び保護フィルムは定位され、一体に粘着して結合される。
該定位フレームの第一短側フレーム及び該補助接着シートの第一接着区域は、該定位台の第一凸部頂面に制限され、該定位フレームの第二短側フレーム及び該補助接着シートの第二接着区域は、該定位台の第二凸部頂面に制限され、これにより、該定位フレーム、補助接着シート及び保護フィルムは、該定位空間上方に位置が限定され、これにより、該定位フレーム、補助接着シート及び保護フィルムは、該ディスプレイに相対して傾斜角度を生じ、しかも該保護フィルムは該ディスプレイ上方に対応するが接触しない。
該スクレーパーは該穴開き孔を通過して、該補助接着シートを下方へと圧迫し、これにより、該定位フレームは、わずかに下方へと湾曲変形し、該スクレーパーを、該第二短側フレーム辺縁から該第一短側フレーム辺縁へと擦るように動かし、こうして該保護フィルムは、傾斜角度方式で、該ディスプレイ上に貼り付けられる。
【０００７】
本考案の一実施形態中において、該第一凸部は、該第二凸部に対面する側面に、第一定位側槽を有し、該第二凸部の、該第一凸部に対面する側面には、第二定位側槽を有する。
該第一定位側槽と第二定位側槽の間には、該定位空間を形成し、しかも該第一定位側槽と第二定位側槽は、該スマートフォンの輪郭を制限して移動できなくする。
【０００８】
本考案の一実施形態中において、該第一凸部頂面には、傾斜角度が設定された第一傾斜面を有し、該第二凸部頂面には、該第一傾斜面と相同の傾斜角度の第二傾斜面を有し、しかも該補助接着シートの第一接着区域は、該第一傾斜面に接着され、しかも該補助接着シートの第二接着区は、該第二凸部の第二傾斜面に接着される。
【０００９】
本考案の一実施形態中において、該第一凸部頂面外周縁には、第一凸垣を設置し、該第二凸部頂面外周縁には、第二凸垣を設置し、該第一凸垣及び第二凸垣が囲む長方形区域は、位置限定空間を形成し、しかも該定位フレームは、該位置限定空間の形状に符合するように形成され、該定位フレーム、補助接着シート及び保護フィルムは、いっしょに該前記位置限定空間中に入れられ、これにより、該定位フレームは、該定位空間上方に位置が限定される。
【００１０】
本考案の一実施形態中において、該第一短側フレーム、第二短側フレーム上には、少なくとも１個の基準孔をそれぞれ設置し、該第一接着区域、第二接着区域上には、該基準孔に対応する定位孔をそれぞれ設置し、しかも該定位孔は、該基準孔に照準を合わせ、これにより該補助接着シートは、該定位フレームに定位される。
【００１１】
上述の装置により、該保護フィルムは傾斜角度により徐々に下方へと圧合し、該ディスプレイの一端から反対端へと接着され、スムーズに空気を押し出すことができ、気泡を発生せず、専門家でなくとも迅速、正確に貼付け可能な保護フィルムを構成でき、しかも周囲のホコリが付着する機会を減らせるという効果をも達成できる。
【図面の簡単な説明】
【００１２】
【図１】従来の保護フィルムの立体分解図である。
【図２】従来の保護フィルムをスマートフォンに結合する立体分解図である。
【図３】従来の保護フィルムをスマートフォンディスプレイに貼り付ける様子の模式図である。
【図４】従来の保護フィルムをスマートフォンディスプレイに貼り付けた際に誤差が生じた様子の模式図である。
【図５】本考案をスマートフォンに結合する立体分解図である。
【図６】本考案を貼り付ける準備状態の立体分解図である。
【図７】本考案をスマートフォンに結合する組合せ立体図である。
【図８】本考案をスマートフォンに結合する側視断面図である。
【図９】本考案においてスクレーパーが補助接着シートを押さえる様子の断面模式図である。
【図１０】本考案においてスクレーパーが第一短側フレーム辺縁へ向かい擦る様子の断面模式図である。
【図１１】本考案においてスクレーパーが補助接着シートを離れる様子の断面模式図である。
【図１２】本考案において位置限定空間より定位フレームを取り外す様子の断面模式図である。
【考案を実施するための形態】
【００１３】
（一実施形態）
図５〜図１２に示す通り、スマートフォンディスプレイ保護フィルム貼付け補助装置は、定位台２０、定位フレーム２５、補助接着シート２６、保護フィルム２７及びスクレーパー２８を有する。
定位台２０は、長方形の台体で、その内の短側辺には、第一凸部２１を設置し、もう一つの相対する短側辺には、第二凸部２２を設置する。
第一凸部２１は、第二凸部２２に対面する側面に、第一定位側槽２１１を有する。
第二凸部２２の、第一凸部２１に対面する側面には、第二定位側槽２２１を有する。
第一定位側槽２１１及び第二定位側槽２２１の間には、定位空間２３を形成する。
定位空間２３には、ディスプレイ２が上を向いた状態でスマートフォン１を収容し、しかも第一定位側槽２１１及び第二定位側槽２２１は、スマートフォン１の輪郭を制限し、これを定位する。
第一凸部２１頂面には、傾斜角度が設定された第一傾斜面２１２を有する。
第二凸部２２頂面には、第一傾斜面２１２と相同の傾斜角度の第二傾斜面２２２を有し、しかも第一凸部２１の高さは、第二凸部２２の高さより高い。
【００１４】
第一凸部２１頂面外周縁には、第一凸垣２１３を設置し、第二凸部２２頂面外周縁には、第二凸垣２２３を設置する。
第一凸垣２１３及び第二凸垣２２３が囲む長方形区域は、位置限定空間２４を形成する。
定位フレーム２５には、穴開き孔２５１を設置し、スマートフォン１のディスプレイ２に対応する。
定位フレーム２５は、第一凸部２１及び第二凸部２２を跨いで設置できる長方形状に形成され、第一短側フレーム２５２及び第二短側フレーム２５３を有する。
しかも、定位フレーム２５は、位置限定空間２４の形状に符合するように形成され、第一短側フレーム２５２、第二短側フレーム２５３上には、少なくとも１個の基準孔２５４をそれぞれ設置する。
【００１５】
補助接着シート２６は、定位フレーム２５の下表面に接着され、補助接着シート２６には、第一接着区域２６１を設置し、第一短側フレーム２５２下表面に接着して設置される。
しかも、補助接着シート２６には、第二接着区域２６２を設置し、第二短側フレーム２５３下表面に接着して設置され、第一接着区域２６１、第二接着区域２６２上には、基準孔２５４に対応する定位孔２６３をそれぞれ設置する。
【００１６】
保護フィルム２７は、補助接着シート２６下表面に接着して設置され、しかも定位孔２６３は、基準孔２５４に照準を合わせる。
これにより、定位フレーム２５、補助接着シート２６及び保護フィルム２７は定位され、一体に粘着して結合され、しかもいっしょに位置限定空間２４中に入れられる。
こうして、補助接着シート２６の第一接着区域２６１は、第一凸部２１の第一傾斜面２１２に接着され、しかも補助接着シート２６の第二接着区域２６２は、第二凸部２１の第二傾斜面２２２に接着される。
これにより、定位フレーム２５、補助接着シート２６及び保護フィルム２７は、定位空間２３上方に位置が限定され、ディスプレイ２に相対して傾斜角度を生じ、しかも保護フィルム２７は、ディスプレイ２上方に対応するが、接触せず、スクレーパー２８は穴開き孔２５１を通過して、第二短側フレーム２５３辺縁に施力し、補助接着シート２６を圧迫する。
こうして、定位フレーム２５を引っ張り、それを下方へとわずかに湾曲変形させる。
こうして、保護フィルム２７一端は、ディスプレイ２に接触するので、スクレーパー２８を、第二短側フレーム２５３辺縁から第一短側フレーム２５２辺縁へと擦るように動かし、保護フィルム２７は、傾斜角度方式で、ディスプレイ２上に貼り付けられる。
【００１７】
上述の装置により、保護フィルム２７は傾斜角度により徐々に下方へと圧合し、ディスプレイ２の一端から反対端へと接着され、スムーズに空気を押し出すことができ、気泡を発生せず、専門家でなくとも迅速、正確に貼付け可能な保護フィルム２７を構成でき、しかも周囲のホコリが付着する機会を減らせるという効果をも達成できる。
【００１８】
上述の実施形態の組成、作用の詳細について以下に説明する。
図５〜図１４に示す通り、本考案は、単一型番号のスマートフォン１に対する保護フィルム２７の貼付け補助装置である。
スマートフォン１の型番号が異なれば、定位空間２３、定位フレーム２５の大きさ、及び補助接着シート２６、保護フィルム２７の面積等をすべて調整する。
しかも、補助接着シート２６と保護フィルム２７の相対位置は、スマートフォン１型番号に応じて設定されている。
定位フレーム２５及び補助接着シート２６の定位方式は、定位柱を有する外部設備により、定位フレーム２５の基準孔２５４及び補助接着シート２６の定位孔２６３に同時に通して組み合わせて、設備の定位柱上に貼付けることができる。
こうして、補助接着シート２６を、定位フレーム２５上に正確に定位して貼付けることができる。
【００１９】
当然その定位は、この種の方式に限定されるものではない。
定位フレーム２５上に基準記号を設置し、さらに透明の補助接着シート２６上にも定位記号を設置し、両者の貼付け時に、定位記号を基準記号に対応させる。
こうして、補助接着シート２６を、定位フレーム２５上に正確に定位して貼り付けることができる。
定位フレーム２５は、アクリル、ポリカーボネート或いは硬質樹脂材質により製造するため、わずかに湾曲する弾性変形の能力を備える。
【００２０】
補助接着シート２６は、樹脂薄片で、保護フィルム２７は、キズや摩耗に耐性のある鋼化ガラス材質或いは樹脂薄片であるが、これに限定するものではない。
保護フィルム２７をスマートフォン１のディスプレイ２に貼付ける時には、先ず定位台２０を平らに置き、スマートフォン１を定位台２０の定位空間２３中に入れ、しかもディスプレイ２を上向きにして固定する。
一般の状況では、保護フィルム２７の貼付け面は、繰り返し接着可能な高い粘着性を備える粘着シートで、離型フィルムにより保護されている。
この時、離型フィルムを剥がす。
【００２１】
続いて、一体に接着結合された定位フレーム２５、補助接着シート２６及び保護フィルム２７を、第一凸部２１及び第二凸部２２の頂面に置く。
これにより、定位フレーム２５、補助接着シート２６及び保護フィルム２７は、位置限定空間２４中に位置する（図８参照）。
第一凸垣２１３及び第二凸垣２２３は、定位フレーム２５を、定位空間２３上方に限定し移動不能とし、保護フィルム２７を定位する。
これにより、保護フィルム２７は、偏ることなく、スマートフォン１のディスプレイ２上方にちょうど対応するが、接触しない。
第一凸部２１の高さは、第二凸部２２より高く、これにより第一傾斜面２１２の高さは、第二傾斜面２２２より高い。
こうして、保護フィルム２７は、ディスプレイ２に相対して傾斜角度θを生じる。
【００２２】
さらに、スクレーパー２８は穴開き孔２５１を通過して、直接補助接着シート２６を圧迫し、第二短側フレーム２５３辺縁に施力し、補助接着シート２６を圧迫する。
保護フィルム２７が接着された補助接着シート２６は、両端の第一接着区域２６１及び第二接着区域２６２だけが、定位フレーム２５の第一短側フレーム２５２及び第二短側フレーム２５３にそれぞれ接着され、補助接着シート２６の他部分は、宙に浮いた状態を呈する。
そのため、補助接着シート２６上方に、下向きの圧力を加えると、補助接着シート２６は定位フレーム２５の両短を側辺へと引っ張り、引力の作用により、定位フレーム２５の両側の長い方の側辺は、わずかに下方へと湾曲して変形する。
こうして、保護フィルム２７は下向きに、ディスプレイ２に近づき、保護フィルム２７の低い方の辺縁は、ディスプレイ２の一端に先に接触する（図９参照）。
さらに、スクレーパー２８を、第二短側フレーム２５３辺縁から第一短側フレーム２５２辺縁へと擦るように動かし、保護フィルム２７とディスプレイ２の挟角を徐々に小さくし、保護フィルム２７は、ディスプレイ２一端から、ゆっくりとその反対端へと接着される。
最後に、保護フィルム２７は水平状を呈し、ディスプレイ２上に完全に接着される（図１０参照）。
【００２３】
この貼付け過程において、ディスプレイ２と保護フィルム２７の間に介在していた空気は、徐々に、ディスプレイ２一端から反対端へと押し出され、スムーズに排出される。
ディスプレイ２と保護フィルム２７の間に空気が残り気泡を生じ、美観に影響し、またディスプレイ２画面の見易さを阻害するという問題を回避することもできる。
保護フィルム２７の貼付け過程で、使用者は保護フィルム２７に直接触れず、定位フレーム２５が定位台２０上をカバーして防塵の効果を備え、しかも貼付け動作が迅速で一度で位置決めができることで、周囲のホコリが付着する機会を大幅に減らすことができる。
また、保護フィルム２７と補助接着シート２６の間は、低粘着性の結合であるシリコン粘着等で、保護フィルム２７とディスプレイ２の間は、高粘着性の結合であるＯＣＡ光学粘着、ＡＢ粘着等である。
そのため、保護フィルム２７がディスプレイ２に完全に接着されると、ディスプレイ２との間の粘着結合力は、補助接着シート２６との間の粘着結合力より大きい。
スクレーパー２８が、補助接着シート２６から離れ、補助接着シート２６が外力の圧迫を受けなくなると、定位フレーム２５は、その弾性を回復してフラット状になり、定位フレーム２５の弾性力により、補助接着シート２６両端は、保護フィルム２７から離脱する（図１１参照）。
この時、使用者が定位フレーム２５を、第一短側フレーム２５２一端から取り上げ、位置限定空間２４から離す（図１２参照）と、補助接着シート２６は、保護フィルム２７からいっしょに剥がされる。
最後に、定位空間２３からスマートフォン１を取り出し、ディスプレイ２の保護フィルム２７の貼付け作業を完成し、気泡の形成を回避し、迅速かつ正確な貼付け作業を達成することができる。
【００２４】
前述した本考案の実施形態は本考案を限定するものではなく、よって、本考案により保護される範囲は後述される実用新案登録請求の範囲を基準とする。
【符号の説明】
【００２５】
〔従来の技術〕
１  スマートフォン、
２  ディスプレイ、
３  受話口、
４  操作ボタン、
５  前レンズ、
６  伝送孔、
１０  保護フィルム、
１１  上開孔、
１２  下開孔、
１３  貫通孔、
１４  離型フィルム、
〔本考案〕
２０  定位台、
２１  第一凸部、
２１１  第一定位側槽、
２１２  第一傾斜面、
２１３  第一凸垣、
２２  第二凸部、
２２１  第二定位側槽、
２２２  第二傾斜面、
２２３  第二凸垣、
２３  定位空間、
２４  位置限定空間、
２５  定位フレーム、
２５１  穴開き孔、
２５２  第一短側フレーム、
２５３  第二短側フレーム、
２５４  基準孔、
２６  補助接着シート、
２６１  第一接着区域、
２６２  第二接着区域、
２６３  定位孔、
２７  保護フィルム、
２８  スクレーパー。
【図１】
0003221144.tif 000003
【図２】
0003221144.tif 000004
【図３】
0003221144.tif 000005
【図４】
0003221144.tif 000006
【図５】
0003221144.tif 000007
【図６】
0003221144.tif 000008
【図７】
0003221144.tif 000009
【図８】
0003221144.tif 000010
【図９】
0003221144.tif 000011
【図１０】
0003221144.tif 000012
【図１１】
0003221144.tif 000013
【図１２】
0003221144.tif 000014